(57)【特許請求の範囲】
【請求項１】
冷凍サイクルを構成する冷媒に可燃性冷媒を用いた冷蔵庫において、冷蔵庫本体の金属部と開閉扉の金属部とを一定範囲の抵抗値を有する導電部材によって電気的に接続連通する一方、前記導電部材は、冷蔵庫本体に対して回動自在に開閉扉を支持するドアヒンジと、ドアヒンジのヒンジピンと接触し合う開閉扉の金属部から延長されたばね板材とで構成されていることを特徴とする冷蔵庫。
【請求項２】
冷凍サイクルを構成する冷媒に可燃性冷媒を用いた冷蔵庫において、冷蔵庫本体の金属部と開閉扉の金属部とを一定範囲の抵抗値を有する導電部材によって電気的に接続連通する一方、前記導電部材は、全閉時に冷蔵庫本体と開閉扉との接触当り面をシールするシール部材で構成することを特徴とする冷蔵庫。
【請求項３】
前記開閉扉の塗装に、一定範囲の抵抗値を有する導電性塗装材料を用いることを特徴とする請求項１，２のいずれかに記載の冷蔵庫。
【請求項４】
冷凍サイクルを構成する冷媒に可燃性冷媒を用いた冷蔵庫において、冷蔵庫本体の金属部と開閉扉の金属部とを一定範囲の抵抗値を有する導電部材によって電気的に接続連通する一方、前記導電部材は、冷蔵庫本体に設けられる庫内部品、または、その表面材料であることを特徴とする冷蔵庫。
【請求項５】
冷凍サイクルを構成する冷媒に可燃性冷媒を用いた冷蔵庫において、冷蔵庫本体の金属部と開閉扉の金属部とを一定範囲の抵抗値を有する導電部材によって電気的に接続連通する一方、前記導電部材は、開閉扉を閉めた時に接触し、冷蔵庫本体と開閉扉との電気的な接続を図る接触手段であることを特徴とする冷蔵庫。
【発明の詳細な説明】
【０００１】
【発明の属する技術分野】
この発明は、可燃性冷媒を用いた冷蔵庫に関する。
【０００２】
【従来の技術】
一般に冷蔵庫は、冷蔵庫本体と開閉扉とから成り、開閉扉を開けることで、食品等の出し入れが行なえるようになっている。
【０００３】
開閉扉は、ドアヒンジを支点として回動自在に支持され、閉めた時に冷蔵庫本体と接触し合う接触当り面はゴム製のシール部材によって気密状態が確保され、冷蔵庫本体とは電気的に導通のない独立した構造となっている。
【０００４】
【発明が解決しようとする課題】
開閉扉は、冷蔵庫本体に比べて表面積が小さく、しかも、独立していることもあって、静電気が蓄積され易く、開閉扉の開閉時にそれが静電気放電となって現れることがある。
【０００５】
このような場合、冷蔵庫の冷媒に、例えば、地球温暖化の要因となる二酸化炭素を排出しない可燃性冷媒を用いた冷蔵庫において、何等かの原因で冷媒漏れがあった時、漏れた冷媒に引火することが想定される。
【０００６】
そこで、この発明は、静電気による静電気放電の発生を抑えた冷蔵庫を提供することを目的としている。
【０００７】
【課題を解決するための手段】
前記目的を達成するために、この発明の請求項１にあっては、冷凍サイクルを構成する冷媒に可燃性冷媒を用いた冷蔵庫において、冷蔵庫本体の金属部と開閉扉の金属部とを一定範囲の抵抗値を有する導電部材によって電気的に接続連通する一方、前記導電部材は、冷蔵庫本体に対して回動自在に開閉扉を支持するドアヒンジと、ドアヒンジのヒンジピンと接触し合う開閉扉の金属部から延長されたばね板材とで構成されていることを特徴とする。
【０００８】
これにより、静電気は一定範囲の抵抗値を有する導電部材によって、いずれか一方に高く蓄積されることなく同電位に保たれる結果、開閉扉の開閉時に静電気放電の発生が抑えられ、可燃性冷媒が万一漏れた場合であっても安全が確保される。しかも、開閉扉の開閉動作に何等支障を与えることなく、冷蔵庫本体と開閉扉との電気的な接続連通状態が確実に得られる。
【００１７】
また、この発明の請求項２によれば、冷凍サイクルを構成する冷媒に可燃性冷媒を用いた冷蔵庫において、冷蔵庫本体の金属部と開閉扉の金属部とを一定範囲の抵抗値を有する導電部材によって電気的に接続連通する一方、前記導電部材を、冷蔵庫本体と開閉扉との接触当り面をシールするシール部材で構成することを特徴とする。
【００１８】
これにより、導電部材を新たに設ける必要がなくなるため、組付性の面で大変好ましいものとなる。
【００１９】
また、この発明の請求項３によれば、開閉扉の塗装に、一定範囲の抵抗値を有する導電性塗装材料を用いることを特徴とする。
【００２０】
これにより、開閉扉の塗料に導電性塗料を用いることで、全領域にわたって電気的な確実な導通状態が得られる。
【００２１】
また、この発明の請求項４によれば、冷凍サイクルを構成する冷媒に可燃性冷媒を用いた冷蔵庫において、冷蔵庫本体の金属部と開閉扉の金属部とを一定範囲の抵抗値を有する導電部材によって電気的に接続連通する一方、前記導電部材を、冷蔵庫本体に設けられる庫内部品、または、その表面材料とすることを特徴とする。
【００２２】
これにより、庫内に静電気が蓄積されることがなくなる。
【００２３】
また、この発明の請求項５によれば、冷凍サイクルを構成する冷媒に可燃性冷媒を用いた冷蔵庫において、冷蔵庫本体の金属部と開閉扉の金属部とを一定範囲の抵抗値を有する導電部材によって電気的に接続連通する一方、前記導電部材を、開閉扉を閉めた時に接触し、冷蔵庫本体と開閉扉との電気的な接続を図る接触手段とすることを特徴とする。
【００２４】
これにより、例えば、開閉扉を全閉位置でストップさせるストッパ部材が導電部材となるため、導電部材を新たに設ける必要がなくなり、組付性の面で大変好ましいものとなる。また、開閉扉を閉めることで冷蔵庫本体と開閉扉とは必ず同電位となり、静電気放電の発生を抑えられる。
【００２５】
【発明の実施の形態】
以下、図１と図２の図面を参照しながらこの発明の第１の実施形態について具体的に説明する。
【００２６】
図１は冷蔵庫１の斜視図を示しており、冷凍サイクルを構成する冷媒に可燃性冷媒を用いている。冷蔵庫１は上方から冷蔵室３、野菜室５、冷凍室（図示していない）となっていて、冷蔵室３の開閉扉７は、開閉用の取手９を有し、ドアヒンジ１１を支点として回動する回動タイプとなっている。
【００２７】
野菜室５の開閉扉１３は、図７に示すように左右の支持アーム１５に設けられたローラ１７が庫内に固定支持された左右のガイドレール１９に沿って走行することで開閉する引出しタイプとなっている。
【００２８】
冷蔵室用の開閉扉７のドアヒンジ１１は、電気を通す金属性の材料で作られていて、一方はビスねじ２３によって鋼板で作られた金属部となる冷蔵庫本体２１の上面パネルに電気的に接続し合う状態で固定支持されている。ドアヒンジ１１の他方はヒンジピン１１ａとなっていて、開閉扉７の上端部に設けられた合成樹脂性の扉キャップ２５に対して回動自在に嵌合支持されている。
【００２９】
ドアヒンジ１１と開閉扉７とは、例えば、１００ＭΩ以下となる一定範囲の抵抗値（以下同じ）を備えた導電部材２７となる電線２９を介して電気的に接続連通している。これにより、一定範囲の抵抗値によって静電気容量が多くなるような所であっても、一気に静電気が放出することがなくなり、火花放電が抑えられるようになっている。この場合、静電気容量の溜りにくい場所にあっては抵抗値を限りなくゼロに近い値のものを用いてもよい。
【００３０】
導電部材２７となる電線２９の一方は、ドアヒンジ１１を止める一方のビスねじ２３を利用して直接ドアヒンジ１１に固定支持されている。他方は、ヒンジピン１１ａに設けられた貫通孔を介して金属部となる鋼板で作られた開閉扉７に溶接等の手段により溶着され、冷蔵庫本体２１と開閉扉７との電気的な接続状態が確保されると共に、電線２９及びドアヒンジ１１はヒンジカバー３１によりカバーされている。
【００３１】
開閉扉７の取手９は、全領域にわたって一定範囲の抵抗値を有する導電性材料３３が設けられている。この場合、導電性材料３３を取手９の一部領域に設けるようにしてもよい。
【００３２】
このように構成された冷蔵庫１によれば、いずれか一方に静電気が蓄積されることなく同電位に保たれる結果、開閉扉７の開閉時に静電気放電が発生することはなく、万一冷媒漏れが起きても安全が確保される。
【００３３】
一方、帯電した人が開閉扉７の取手９に手をかけた時に、一定範囲の抵抗値を有する導電性材料３３によって静電気放電を起こすことなく冷蔵庫１と同電位となるため、万一冷媒が庫外へ漏れた場合でもその冷媒と引火する恐れはなく安全が確保される。
【００３４】
図３は冷蔵庫本体２１と開閉扉７とを電気的な接続を図る導電部材２７の第２の実施形態を示したものである。
【００３５】
即ち、ドアヒンジ１１のヒンジピン１１ａを、一定範囲の抵抗値を備えた開閉扉７の金属部から立上がる金属性の軸受部材３５に対して回転自在に嵌挿支持し、前記ドアヒンジ１１を介して直接冷蔵庫本体２１と開閉扉７との電気的な接続連通を図る手段としたものである。
【００３６】
この場合、軸受部材３５を用いずに、扉キャップ２５を導電性材料によって構成する手段としてもよい。
【００３７】
なお、他の構成要素は第１の実施形態と同一のため同一符号を付して詳細な説明を省略する。
【００３８】
したがって、この第２の実施形態によれば、第１の実施形態の効果に加えて、新たに導電部材２７を設けなくともよいため組付性、コストの面において大変好ましいものとなる。
【００３９】
図４と図５は冷蔵庫本体２１と開閉扉７とを電気的な接続を図る導電部材２７の第３の実施形態を示したものである。
【００４０】
即ち、ドアヒンジ１１のヒンジピン１１ａを、扉キャップ２５に回転自在に嵌挿支持し、そのヒンジピン１１ａに開閉扉７の金属部から立上がる一定範囲の抵抗値を備えたばね板材３７を接触させて冷蔵庫本体２１と開閉扉７の電気的な導通を図る手段としたものである。
【００４１】
なお、他の構成要素は、第１の実施形態と同一のため同一符号を付して詳細な説明を省略する。
【００４２】
したがって、この第３の実施形態によれば、第１の実施形態の効果に加えて、開閉扉７の開閉動作に何等支障を与えることなく、冷蔵庫本体２１と開閉扉７との電気的な接続連通状態が確実に得られる。
【００４３】
図６は冷蔵庫本体２１と開閉扉７とを電気的な接続を図る導電部材２７の第４の実施形態を示したものである。
【００４４】
即ち、全閉時に冷蔵庫本体２１の開口部周りと弾接し合う開閉扉７，１３のシール部材４１の一部領域にわたって、一定範囲の抵抗値を備えた導電材料３９により導電部材２７を設けるようにするものである。
【００４５】
導電部材２７は開閉扉７の金属部と接続し合う一方、全閉時に冷蔵庫本体２１の開口部周りと弾接し合うことで冷蔵庫本体２１と開閉扉７とが電気的に接続連通し合う構造となっている。
【００４６】
この場合、冷蔵庫本体２１の開口部周りがプラスチック等の合成樹脂材によって成形されている場合には、その当り面に導電部材２７と接触し合う導電材料による塗膜４３領域を設けるようにすることが望ましい。
【００４７】
なお、他の構成要素は第１の実施形態と同一のため同一符号を付して詳細な説明を省略する。
【００４８】
したがって、この第４の実施形態によれば、第１の実施形態の効果に加えて、導電部材２７を新たに設ける必要がなくなるため、組付性の面で大変好ましいものとなる。
【００４９】
図７は冷蔵庫本体２１と前記した引出しタイプの開閉扉１３とを電気的な接続を図る導電部材２７の第５の実施形態を示したものである。
【００５０】
この第５の実施形態は庫内部品を利用して電気的な接続を図るようにしたものである。具体的には、引出しタイプの開閉扉１３にビス４５によって固定支持された収納庫を支持する左右の支持ステー１５を金属性の材料で形成する一方、その支持ステー１５がガイドレール１９に沿って一杯に押込まれた時に、冷蔵庫本体２１の金属部に固定支持されたばね板接点４７が支持ステー１５の上端縁とスライド自在に接触し合うことで、冷蔵庫本体２１及び庫内と開閉扉１３との電気的な接続が得られる構造となっている。
【００５１】
なお、他の構成要素は第１の実施形態と同一のため同一符号を付して詳細な説明を省略する。
【００５２】
したがって、この第５の実施形態によれば、庫内に静電気が蓄積されることがなくなる。
【００５３】
図８は冷蔵庫本体２１と開閉扉７とを電気的に接続を図る導電部材２７の第６の実施形態を示したものである。
【００５４】
即ち、冷蔵庫１には、開閉扉７を全閉位置でストップさせる接触手段となるストッパ４９が冷蔵庫本体２１に、そのストッパ４９と当接し合うストッパ凹部５１が開閉扉７にそれぞれ設けられているが、そのストッパ４９とストッパ凹部５１とを金属性の材料で形成するものである。これにより、固定ビス５３に固定支持されたストッパ４９及び冷蔵庫本体２１と、ストッパ凹部５１及び開閉扉７とはそれぞれ電気的な導通状態が得られるようになる。
【００５５】
なお、他の構成要素は第１の実施形態と同一のため同一符号を付して詳細な説明を省略する。
【００５６】
したがって、この第６の実施形態によれば、第１の実施形態の効果に加えて、導電部材を新たに設ける必要がないため、組付性及びコストの面で大変好ましいものとなる。また、開閉扉７の全閉時に静電気放電の起きない同電位が必ず得られるようになる。
【００５７】
なお、第１から第６の実施形態において、開閉扉７，１３の塗装を、一定範囲の抵抗値を有する導電性塗装材料を用いるようにしてもよい。
【００５８】
これにより、全領域にわたって電気的な確実な導通状態が得られる。
【００５９】
【発明の効果】
以上、説明したように、この発明の請求項１によれば、冷蔵庫本体と開閉扉とを同電位に保つことができるため、開閉扉の開閉時に静電気放電が発生するのを防ぎ、万一冷媒漏れが起きても安全を確保することができる。しかも、開閉扉の開閉動作に何等支障を与えることなく、冷蔵庫本体と開閉扉との電気的な接続連通状態を確実に得ることができる。
【００６４】
また、この発明の請求項２によれば、導電部材を新たに設ける必要がなくなるため、組付性の面で大変好ましいものとなる。
【００６５】
また、この発明の請求項３によれば、開閉扉の塗料に導電性塗料を用いることで、全領域にわたって電気的な確実な導通状態を得ることができる。
【００６６】
また、この発明の請求項４によれば、庫内に静電気が蓄積されるのを防ぐことができる。
【００６７】
また、この発明の請求項５によれば、導電部材を新たに設ける必要がなくなり、組付性の面で大変好ましいものとなる。また、開閉扉を閉めることで冷蔵庫本体と開閉扉とを静電気放電の起きない同電位が必ず得られるようになる。
【図面の簡単な説明】
【図１】この発明にかかる冷蔵庫を示した概要斜視図。
【図２】冷蔵庫本体と開閉扉とを電線等の導電部材を用いて電気的な接続を図ったドアヒンジ部分の拡大概要説明図。
【図３】ドアヒンジを導電部材とした第２の実施形態を示した図２と同様の概要説明図。
【図４】ドアヒンジのヒンジピンに開閉扉の金属部から立上がるばね板材を導電部材とした第３の実施形態を示した図２と同様の概要説明図。
【図５】ヒンジピンとばね板材との関係を示した図４の概要平面図。
【図６】開閉扉に設けられたシール部材の一部分に導電部材を設けるようにした第４の実施形態を示す概要説明図。
【図７】庫内部品を導電部材とした第５の実施形態を示した概要斜視図。
【図８】ストッパ部材を導電部材とした第６の実施形態を示した概要斜視図。
【符号の説明】
７  開閉扉
９  取手
１１  ドアヒンジ
１１ａ  ヒンジピン
２１  冷蔵庫本体
２７  導電部材
２９  電線
３３  導電性材料
３７  ばね板材
４１  シール部材
【図１】
0003866543.tif 000002
【図２】
0003866543.tif 000003
【図３】
0003866543.tif 000004
【図４】
0003866543.tif 000005
【図５】
0003866543.tif 000006
【図６】
0003866543.tif 000007
【図７】
0003866543.tif 000008
【図８】
0003866543.tif 000009